(57)【要約】【課題】同一の周波数帯域に複数のチャンネルを有するラジオ放送における各チャンネルの放送内容の種別を迅速に判別することができ、ひいては、所望のチャンネルを迅速に選択することができる「ラジオ放送受信装置」を提供すること。【解決手段】リスト表示処理手段１６により、識別番号が放送内容の種別を受信側において識別することが可能な状態として設定されていないチャンネルについては、付加情報に基づいて放送内容の種別を識別することができるか否かを判定し、この判定の結果、種別を識別することがきる場合には、付加情報に基づいて識別された種別を用いてリストを生成することが可能に形成されていること。【選択図】図１
2010011147.tif 000002
【特許請求の範囲】
【請求項１】
同一の周波数帯域に複数のチャンネルを有するラジオ放送を受信し、受信された前記ラジオ放送における前記複数のチャンネルの放送内容を選択的に再生可能とされたラジオ放送受信装置であって、
前記ラジオ放送は、当該ラジオ放送の放送局側において前記複数のチャンネルごとに設定された識別番号であって、各チャンネルの放送内容の種別を受信側において識別することが可能な状態として設定可能とされた識別番号と、受信側において前記放送局を識別することが可能とされた付加情報とを含む放送とされ、
ラジオ放送受信装置本体は、前記識別番号に基づいて、前記各チャンネルの放送内容の種別を示すリストを生成し、生成されたリストを表示部に表示するリスト表示処理手段を備え、
前記リスト表示処理手段は、前記識別番号が前記放送内容の種別を受信側において識別することが可能な状態として設定されていないチャンネルについては、前記付加情報に基づいて当該チャンネルの放送内容の種別を識別することができる場合には、前記付加情報に基づいて識別された種別を用いて前記リストを生成することが可能に形成されていること
を特徴とするラジオ放送受信装置。
【請求項２】
前記付加情報は、少なくとも前記放送局の名称を含む情報とされ、
前記種別を識別することができる場合における前記付加情報は、前記放送局の名称に加えて少なくとも各チャンネルの放送内容の種別を示す情報を含む情報とされていること
を特徴とする請求項１に記載のラジオ放送受信装置。
【請求項３】
操作手段を備え、
ユーザが前記操作手段を介して前記リストの中から１つのチャンネルを選択したとき、該選択されたチャンネルの放送内容を再生する
ことを特徴とする請求項２に記載のラジオ放送受信装置。
【請求項４】
前記ラジオ放送は、ＩＢＯＣ方式のラジオ放送とされていること
を特徴とする請求項３に記載のラジオ放送受信装置。
【発明の詳細な説明】
【技術分野】
【０００１】
本発明は、ラジオ放送受信装置に係り、特に、同一の周波数帯域に複数のチャンネルを有するラジオ放送を受信するのに好適なラジオ放送受信装置に関する。
【背景技術】
【０００２】
近年、放送のデジタル化の進展にともない、ラジオ放送においてもデジタル信号を用いたデジタルラジオ放送が採用されるようになった。
【０００３】
この種のデジタルラジオ放送の１つに、iBiquty（アイビクティ）社が開発したHD Radio（エイチディーラジオ）（商標）放送があり、このHD Radio放送は、現在米国で実用されている。
【０００４】
HD Radio放送は、ＩＢＯＣ（In-Band-On-Channel）（アイボック）方式の地上デジタルラジオ放送であり、このHD Radio放送によれば、既存のＡＭ／ＦＭアナログ放送の周波数を利用して、アナログ放送と同時にデジタル信号を伝送することができる。
【０００５】
また、HD Radio放送においては、同一の周波数帯域に複数のチャンネルを有することも可能とされていた。
【０００６】
そして、このような複数のチャンネルを有するHD Radio放送を受信する受信装置側においては、複数のチャンネルのリストを生成してディスプレイに表示し、表示されたリストの中からユーザが選択したチャンネルの放送内容を再生（音声出力）することが可能とされていた。
【０００７】
このようなリストの生成には、HD Radio放送の放送局側において各チャンネルごとに設定されたプログラムＩＤと称される識別番号が用いられていた。
【０００８】
ここで、プログラムＩＤは、例えば、ＩＤの１番「ＩＤ１」が設定されたチャンネル（すなわちメインチャンネル）の放送内容の種別がクラシック音楽、ＩＤの２番「ＩＤ２」が設定されたチャンネル（サブチャンネル）の放送内容の種別がジャズ音楽のように、ＩＤ番号と放送内容の種別とを対応させた状態として設定することが可能とされていた。
【０００９】
また、受信装置側においても、ＩＤ番号と放送内容の種別との対応関係を予め把握しておくことによって、受信されたHD Radio放送に含まれる各チャンネルのプログラムＩＤに応じて、各チャンネルの放送内容の種別を識別することができるようになっていた。
【００１０】
そして、このようにして識別された種別を用いて生成されたリストを表示することによって、所望のチャンネルの迅速な選択が図られていた。
【００１１】
【特許文献１】特開２００４−１３４９３１号公報
【発明の開示】
【発明が解決しようとする課題】
【００１２】
しかしながら、放送局如何によっては、HD Radio放送における全チャンネルのプログラムＩＤが、受信装置側において放送内容の種別を識別することが可能な状態として適切に設定されていないような場合もあった。具体的には、プログラムＩＤが０（すなわち「ＩＤ０」）の場合である。
【００１３】
そして、このような場合には、図５に示すように、リスト１には、メインチャンネルの放送内容の種別が表示されるべき項目欄２、および、サブチャンネルの放送内容の種別が表示されるべき項目欄３，４，５がいずれも「Undefined」と表示されることになり、リスト１に基づいて各チャンネルの種別を迅速に判別することができないといった問題が生じていた。
【００１４】
そこで、本発明は、このような問題点に鑑みなされたものであり、同一の周波数帯域に複数のチャンネルを有するラジオ放送における各チャンネルの放送内容の種別を迅速に判別することができ、ひいては、所望のチャンネルを迅速に選択することができるラジオ放送受信装置を提供することを目的とするものである。
【課題を解決するための手段】
【００１５】
前述した目的を達成するため、本発明に係るラジオ放送受信装置は、同一の周波数帯域に複数のチャンネルを有するラジオ放送を受信し、受信された前記ラジオ放送における前記複数のチャンネルの放送内容を選択的に再生可能とされたラジオ放送受信装置であって、前記ラジオ放送は、当該ラジオ放送の放送局側において前記複数のチャンネルごとに設定された識別番号であって、各チャンネルの放送内容の種別を受信側において識別することが可能な状態として設定可能とされた識別番号と、受信側において前記放送局を識別することが可能とされた付加情報とを含む放送とされ、ラジオ放送受信装置本体は、前記識別番号に基づいて、前記各チャンネルの放送内容の種別を示すリストを生成し、生成されたリストを表示部に表示するリスト表示処理手段を備え、前記リスト表示処理手段は、前記識別番号が前記放送内容の種別を受信側において識別することが可能な状態として設定されていないチャンネルについては、前記付加情報に基づいて当該チャンネルの放送内容の種別を識別することができる場合には、前記付加情報に基づいて識別された種別を用いて前記リストを生成することが可能に形成されていることを特徴としている。
【００１６】
そして、このような構成によれば、識別番号が受信側において放送内容の種別を識別可能な状態として設定されていないチャンネルであっても、付加情報に基づいて放送内容の種別を識別することができる場合には、識別された種別を用いてリストを生成することができるので、同一の周波数帯域に複数のチャンネルを有するラジオ放送における各チャンネルの放送内容の種別を迅速に判別することができ、ひいては、所望のチャンネルを迅速に選択することができる。
【００１７】
また、前記付加情報は、少なくとも前記放送局の名称を含む情報とされ、前記種別を識別することができる場合における前記付加情報は、前記放送局の名称に加えて少なくとも各チャンネルの放送内容の種別を示す情報を含む情報とされていてもよい。
【００１８】
そして、このような構成によれば、例えば、HD Radio放送におけるロングステーションネームのような既存の情報を種別の識別に用いることができるため、コストを削減することができる。
【００１９】
さらに、操作手段を備え、ユーザが前記操作手段を介して前記リストの中から１つのチャンネルを選択したとき、該選択されたチャンネルの放送内容を再生するようにしてもよい。
【００２０】
そして、このような構成によれば、ユーザがリストの中から所望のチャンネルを選択して放送内容を再生することができるので、利便性をさらに向上させることができる。
【００２１】
さらにまた、前記ラジオ放送は、ＩＢＯＣ方式の放送とされていることが好ましい。
【００２２】
そして、このような構成によれば、高音質のデジタルラジオ放送を聴取することができる。
【発明の効果】
【００２３】
本発明によれば、同一の周波数帯域に複数のチャンネルを有するラジオ放送における各チャンネルの放送内容の種別を迅速に判別することができ、ひいては、所望のチャンネルを迅速に選択することができる。
【発明を実施するための最良の形態】
【００２４】
以下、本発明に係るラジオ放送受信装置の実施形態について、図１乃至図４を参照して説明する。
【００２５】
図１は、本実施形態におけるラジオ放送受信装置（本体）７を示したものであり、このラジオ放送受信装置７は、車両に搭載されているとともに、図示しない車載用ナビゲーション装置等の車載器と一体をなしている。
【００２６】
本実施形態におけるラジオ放送受信装置７は、チューナ８を有しており、このチューナ８は、放送局から送信されたＩＢＯＣ方式のラジオ放送としてHD Radio放送を、アンテナ１０を介して受信することが可能とされている。
【００２７】
なお、本実施形態におけるHD Radio放送は、同一の周波数帯域に複数のチャンネルを有しているとともに、放送局側において各チャンネルごとに識別番号としてのプログラムＩＤが設定されているものとする。このプログラムＩＤは、各チャンネルの放送内容の種別としてのプログラムタイプをラジオ放送受信装置７側（受信側）において識別することが可能な状態として放送局側において設定可能とされている。
【００２８】
また、本実施形態におけるHD Radio放送は、付加情報として、ロングステーションネーム（Long Station Name）を含む放送とされている。ここで、ロングステーションネームは、HD Radio放送の放送局の名称を示す情報を少なくとも含むとともに、プログラムタイプを示す情報も含まれることがある情報とされている。このロングステーションネームは、ラジオ放送受信装置７の使用態様において、ディスプレイ１１に表示することが可能とされている。また、HD Radio放送には、ロングステーションネームとともにショートステーションネーム（Short Station Name）が含まれていてもよい。なお、ショートステーションネームは、HD Radio放送の放送局の名称を４文字のアルファベットで示す情報として知られている。
【００２９】
そして、チューナ８は、このようなHD Radio放送を受信すると、受信したHD Radio放送を後段へと出力するようになっている。
【００３０】
チューナ８の後段には、Ａ／Ｄ変換器（図１におけるＡ／Ｄ）１２が接続されており、このＡ／Ｄ変換器１２には、チューナ８から出力されたHD Radio放送が入力されるようになっている。そして、Ａ／Ｄ変換器１２は、入力されたHD Radio放送に対して、その信号の状態をアナログからデジタルへと変換するＡ／Ｄ変換処理を施し、Ａ／Ｄ変換処理が施されたHD Radio放送を、後段へと出力するようになっている。
【００３１】
Ａ／Ｄ変換器１２の後段には、復調部１４が接続されており、この復調部１４には、Ａ／Ｄ変換器１２から出力されたHD Radio放送が入力されるようになっている。そして、復調部１４は、入力されたHD Radio放送に対して、ＣＯＦＤＭ（Coded Orthogonal Frequency Division Multiplexing：符号化直交周波数分割多重）復調を行い、復調後のHD Radio放送を後段へと出力するようになっている。
【００３２】
復調部１４の後段には、デコーダ１５が接続されており、このデコーダ１５には、復調部１４から出力されたHD Radio放送が入力されるようになっている。
【００３３】
そして、デコーダ１５は、入力されたHD Radio放送をデコードすることによって、複数のチャンネルのそれぞれの放送内容（音声データ）、各チャンネルのプログラムＩＤおよびロングステーションネーム等の各情報を取得するようになっている。
【００３４】
デコーダ１５には、マイコン等の制御部１６が接続されており、この制御部１６には、操作手段としての入力操作部１８、ディスプレイ１１およびチューナ８がそれぞれ接続されている。なお、入力操作部１８は、リモコンやディスプレイ１１のタッチパネル等であってもよい。
【００３５】
本実施形態において、制御部１６は、リスト表示処理手段として機能するようになっている。すなわち、制御部１６は、デコーダ１５によって取得されたプログラムＩＤをデコーダ１５から取得し、取得されたプログラムＩＤに基づいて、各チャンネルのプログラムタイプを示すリストを生成し、生成されたリストをディスプレイ１１に表示するようになっている。
【００３６】
さらに、本実施形態において、制御部１６は、プログラムＩＤがプログラムタイプをラジオ放送受信装置７側において識別することが可能な状態として設定されていないチャンネル、すなわち、「ＩＤ０」のチャンネルについては、デコーダ１５から取得されたロングステーションネームに基づいて当該チャンネルのプログラムタイプを識別することができるか否かを判定するようになっている。なお、放送局によっては、HD Radio放送における全てのチャンネルのプログラムＩＤが、「ＩＤ０」の場合があることは十分想定される。
【００３７】
そして、制御部１６は、前記判定の結果、ロングステーションネームに基づいてプログラムタイプを識別することがきる場合には、ロングステーションネームに基づいて識別されたプログラムタイプを用いてリストを生成するようになっている。
【００３８】
ここで、このようなプログラムタイプを識別することができる場合におけるロングステーションネームとしては、図２に示すような場合が挙げられる。
【００３９】
なお、図２は、ラジオ放送受信装置７の使用態様として、入力操作部１８を用いた入力操作によってディスプレイ１１に表示可能なロングステーションネームの表示画面１９を示したものである。この表示画面１９には、ロングステーションネームとして、放送局名「○△□×」が表示されているとともに、この放送局名に加えて、各チャンネル（図２におけるＨＤ１〜ＨＤ４）のプログラムタイプを示す情報が表示されている。具体的には、図２においては、メインチャンネル（ＨＤ１）のプログラムタイプがニュースとトーク番組（News&Talk）であり、３つのサブチャンネル（ＨＤ２〜４）のプログラムタイプがそれぞれクラシック音楽（Classic）、ジャズ（Jazz）およびヒップホップ（HipHop）であることを示している。
【００４０】
そして、本実施形態においては、図２に示したように、ロングステーションネームにプログラムタイプを示す情報が含まれている場合には、たとえ、全てのチャンネル（ＨＤ１〜ＨＤ４）のプログラムＩＤが「ＩＤ０」の場合であっても、制御部１６により、図３に示すように、リスト１における各チャンネルのプログラムタイプが表示されるべき項目欄２，３，４，５に各チャンネルのプログラムタイプを適正に表示することができるようになっている。
【００４１】
また、本実施形態において、リスト１は、各項目欄２，３，４，５を、再生対象チャンネルとして入力操作部１８を用いて択一的に選択することが可能とされている。
【００４２】
図１に戻って、さらに、制御部１６は、デコーダ１５を制御することにより、デコーダ１５に、前記デコードによって取得された各チャンネルの放送内容のうち、リスト１において選択されたチャンネルの放送内容に対応する音声データをデコーダ１５の後段へと出力させるようになっている。
【００４３】
上記構成に加えて、さらに、本実施形態において、デコーダ１５の後段には、Ｄ／Ａ変換器（図１におけるＤ／Ａ）２０が接続されており、このＤ／Ａ変換器２０には、デコーダ１５から出力された放送内容に対応する音声データが入力されるようになっている。
【００４４】
そして、Ｄ／Ａ変換器２０は、デコーダ１５から入力された音声データに対して、当該音声データをデジタルデータからアナログデータへと変換するＤ／Ａ変換処理を施し、Ｄ／Ａ変換処理後の音声データを後段に出力するようになっている。
【００４５】
Ｄ／Ａ変換器２０の後段には、スピーカ２２が接続されており、このスピーカ２２には、Ｄ／Ａ変換器２０から出力された音声データが入力されるようになっている。そして、スピーカ２２は、入力された音声データを音声出力するようになっている。
【００４６】
このようにして、HD Radio放送における複数のチャンネルのうちの入力操作部１８を用いて選択された１つのチャンネルの放送内容を音声出力によって再生することができるようになっている。
【００４７】
したがって、本実施形態によれば、プログラムＩＤが「ＩＤ０」の場合であっても、ロングステーションネームに基づいてプログラムタイプを識別することができる場合には、識別されたプログラムタイプを用いてリスト１を生成することができるようになっている。
【００４８】
次に、本実施形態の主要な作用について説明する。
【００４９】
本実施形態においては、まず、図４のステップ１（ＳＴ１）に示すように、チューナ８を介してHD Radio放送を受信し、受信されたHD Radio放送に対して、Ａ／Ｄ変換器１２によるＡ／Ｄ変換処理、復調部１４による復調、およびデコーダ１５によるデコードを行った上でステップ２（ＳＴ２）に進む。なお、このステップ１（ＳＴ１）により、HD Radio放送における各チャンネルの放送内容、プログラムID、およびロングステーションネーム等の各情報がデコーダ１５によって取得される。
【００５０】
次いで、ステップ２（ＳＴ２）においては、デコーダ１５によって取得されたプログラムＩＤを制御部１６によって取得してステップ３（ＳＴ３）に進む。
【００５１】
次いで、ステップ３（ＳＴ３）においては、制御部１６により、各チャンネルごとに、プログラムＩＤが「ＩＤ０」であるか否かを判定し、「ＩＤ０」の場合には、ステップ４（ＳＴ４）に進み、「ＩＤ０」でない場合には、ステップ６（ＳＴ６）に進む。
【００５２】
ここで、ステップ４（ＳＴ４）以降の処理について説明すると、まず、ステップ４（ＳＴ４）においては、制御部１６により、デコーダ１５からロングステーションネームを取得し、取得されたロングステーションネームに基づいて、「ＩＤ０」のチャンネルのプログラムタイプを識別することができるか否かを判定する。
【００５３】
そして、この判定の結果、「ＩＤ０」のチャンネルのプログラムタイプを識別することができる場合には、ステップ５（ＳＴ５）に進み、識別することができない場合には、処理を終了する。
【００５４】
次いで、ステップ５（ＳＴ５）においては、制御部１６により、識別されたプログラムタイプを用いてリスト１を生成し、生成されたリスト１をディスプレイ１１に表示して処理を終了する。
【００５５】
一方、ステップ６（ＳＴ６）においては、プログラムＩＤに基づいてプログラムタイプを識別してステップ５（ＳＴ５）に進む。
【００５６】
以上述べたように、本実施形態によれば、プログラムＩＤが「ＩＤ０」のチャンネルであっても、ロングステーションネームに基づいてプログラムタイプを識別することができる場合には、識別されたプログラムタイプを用いてリスト１を生成することができるので、HD Radio放送における各チャンネルのプログラムタイプを迅速に判別することができ、ひいては、所望のチャンネルを迅速に選択して再生することができる。
【００５７】
なお、本発明は、前述した実施の形態に限定されるものではなく、必要に応じて種々の変更が可能である。
【００５８】
例えば、放送内容に加えて前記識別情報と前記付加情報とを受信することができる形態の放送であれば、HD Radio放送以外の放送に本発明を適用するようにしてもよい。
【図面の簡単な説明】
【００５９】
【図１】本発明に係るラジオ放送受信装置の実施形態を示すブロック図
【図２】本発明に係るラジオ放送受信装置の実施形態において、ロングステーションネームの表示画面を示す図
【図３】本発明に係るラジオ放送受信装置の実施形態において、リストを示す図
【図４】本発明に係るラジオ放送受信装置の実施形態を示すフローチャート
【図５】従来の問題点を示す図
【符号の説明】
【００６０】
１  リスト
７  ラジオ放送受信装置
１１  ディスプレイ
１６  制御部
【図１】
2010011147.tif 000003
【図２】
2010011147.tif 000004
【図３】
2010011147.tif 000005
【図４】
2010011147.tif 000006
【図５】
2010011147.tif 000007